(57)【要約】      （修正有）【課題】携帯可能な情報処理装置に関し、電池パック収納部のリッド開閉用のスライド式切換手段について、そのスライド操作部の配置構造を工夫することにより、情報処理装置を保持するユーザの手がスライド操作部の操作面に不用意に触れて誤操作を招くことを有効に抑制する。【解決手段】電池パック５０を着脱可能に収納する収納部を、第２筐体３１の少なくとも底部３１ｂの一部を切り欠くことにより、電池パックの外形形状に対応し少なくとも底側に開口した凹状に形成、前記収納部の開口を開閉可能に覆う蓋部材を一体的に備えた電池パックを装着状態にロックするロック機能とロック状態を解除するロック解除機能とを選択的に切り換えて用いられるスライド式のロック切換機構６０とを備え、電池パックの底面に、当該底面から所定量段下げした平坦な段下げ面５３を設け、該段下げ面に前記ロック切換機構のスライドノブ６２を配設する。【選択図】図６
2011070485.tif 000002
【特許請求の範囲】
【請求項１】
電池パックを着脱可能に収納する収納部を有する筐体を備えた情報処理装置であって、
前記収納部は、前記筐体の少なくとも底部の一部を切り欠くことにより、前記電池パックの外形形状に対応し少なくとも底側に開口した凹状に形成されており、
前記収納部の前記開口を開閉可能に覆う蓋部材と、該蓋部材を閉状態にロックするロック機能とロック状態を解除するロック解除機能とを選択的に切り換えて用いられるスライド式の切換手段と、が備えられ、
前記筐体および前記蓋部材の少なくとも何れか一方の底面から所定量段下げした平坦な段下げ面が設けられており、
該段下げ面に前記切換手段のスライド操作部が配設され、該スライド操作部の操作面は前記底面よりも前記段下げ面に近い側に位置している、
ことを特徴とする情報処理装置。
【請求項２】
ユーザが前記筐体の底部を片手で支えて当該情報処理装置を保持する際にユーザの手を甲側から拘束するハンドストラップが、前記蓋部材の一部と底面視で重なるように、前記筐体の底面に装着されている、ことを特徴とする請求項１に記載の情報処理装置。
【請求項３】
前記蓋部材は、前記電池パックの少なくとも底面として、当該電池パックと一体に設けられている、ことを特徴とする請求項１又は２に記載の情報処理装置。
【発明の詳細な説明】
【技術分野】
【０００１】
本発明は、例えばノート型パーソナルコンピュータ（以下、適宜、「ノートパソコン」と略称する）などの携帯可能な情報処理装置に関し、特に、かかる情報処理装置の電池パック収納部のリッド開閉用のスライド式切換手段の配置構造に関する。
【背景技術】
【０００２】
周知のように、ノートパソコン等の携帯可能な情報処理装置は、充電式のバッテリ（電池）からの給電によって駆動することができるものが普通である。かかる電池をユニット化した電池パックを情報処理装置に装着・収納する場合、一般に、当該情報処理装置の本体側の筐体の少なくとも底部の一部を凹状に切り欠いて収納部を設けておき、この収納部内に電池パックを収納するようにしている。尚、かかる電池パックは、通常、その全体形状が略直方体状に形成され、電池パック収納部もこれに対応した凹状に形成されている。
【０００３】
前記収納部は、通常時はリッド（蓋）を閉じることによって覆われており、電池を装着する場合、或いは装着されている電池を取り出す場合には、リッドを開いて電池の装着または取り出し操作が行われる。かかるリッドは、通常、当該リッドを閉状態にロックするロック機能とロック状態を解除するロック解除（アンロック）機能とを選択的に切り換えて用いられる切換手段を備えている。このような切換手段の操作部としては、リッド面に沿って若干量だけスライドさせることにより切換操作が行えるようにした、所謂スライドノブが多用されている（例えば、特許文献１参照）。
【０００４】
ところで、例えば外出時などにおいて、携帯しているノートパソコンを片手に持って操作しなければならない場合には、ユーザは、ノートパソコンの本体側の筐体の主として底部を片手で支えるようにして、当該ノートパソコンを保持するのが普通である。このとき、電池パック収納部の配設位置によっては、ノートパソコンを保持するユーザの手が（つまり、手の平や指先が）、誤って前記リッドのスライドノブに触れる場合がある。
【０００５】
例えばノートパソコンのような携帯型情報処理装置の携帯時における使い勝手を向上させるための補助的な付帯品として、情報処理装置の筐体底部を保持する手を、手の甲側から拘束して保持性を高めるようにした、ベルト状の所謂ハンドストラップが知られているが、かかるハンドストラップが、電池パック収納部のリッドの一部と底面視で重なるように装着されている場合には、情報処理装置を保持するユーザの手が（手の平や指先が）、不用意に前記スライドノブに触れる蓋然性が特に高くなる。
【先行技術文献】
【特許文献】
【０００６】
【特許文献１】特開平１０−２７５６０５号公報
【発明の概要】
【発明が解決しようとする課題】
【０００７】
従来では、例えば前記特許文献１にも見られるように、スライドノブは、操作性を考慮して、その操作面ができるだけ筐体底面またはリッド面と略面一をなすか、若しくはこれらの面から若干出っ張るように構成されるのが一般的である。しかしながら、このような構成では、前述のように、情報処理装置を保持するユーザの手が（手の平や指先が）、例えば情報処理装置を不使用時等に把持したユーザの手が、スライドノブの操作面に誤って触れ易く、また、操作面に触れた場合には、該スライドノブを不用意にアンロック方向にスライドさせてしまい、リッドのロック状態が意図せずに解除されてしまうおそれがある。
【０００８】
そこで、本発明は、電池パック収納部のリッド開閉用のスライド式切換手段について、そのスライド操作部の配置構造を工夫することにより、情報処理装置を保持するユーザの手が（手の平や指先が）スライド操作部の操作面に不用意に触れて誤操作を招くことを有効に抑制できるようにすることを、基本的な目的としてなされたものである。
【課題を解決するための手段】
【０００９】
このため、本発明に係る情報処理装置は、電池パックを着脱可能に収納する収納部を有する筐体を備えた情報処理装置であって、前記収納部は、前記筐体の少なくとも底部の一部を切り欠くことにより、前記電池パックの外形形状に対応し少なくとも底側に開口した凹状に形成されており、前記収納部の前記開口を開閉可能に覆う蓋部材と、該蓋部材を閉状態にロックするロック機能とロック状態を解除するロック解除機能とを選択的に切り換えて用いられるスライド式の切換手段と、が備えられ、前記筐体および前記蓋部材の少なくとも何れか一方の底面から所定量段下げした平坦な段下げ面が設けられており、該段下げ面に前記切換手段のスライド操作部が配設され、該スライド操作部の操作面は前記底面よりも前記段下げ面に近い側に位置している、ことを特徴としたものである。
【発明の効果】
【００１０】
本発明によれば、電池パック収納部の蓋部材を閉状態にロック・アンロックするスライド式の切換手段のスライド操作部は、筐体および前記蓋部材の少なくとも何れか一方の底面から段下げして形成された段下げ面に、操作面が前記底面よりも段下げ面に近い側に位置するように（つまり、底面から凹むように）配設されているので、ユーザの手（手の平や指先）が操作面に強く触れるおそれはそれだけ少なくなり、より有効に誤操作の発生を抑制できる。また、ユーザが筐体の主として底部を片手で支えるようにして当該情報処理装置を保持するに際して、前記底面に手の平が当たるように保持することで持ち易く、情報処理装置の保持性が高められるという効果も有する。
【図面の簡単な説明】
【００１１】
【図１】実施形態に係るノートパソコンの使用可能状態を示す全体斜視図
【図２】前記ノートパソコンの不使用状態を示す全体斜視図
【図３】前記ノートパソコンの不使用状態における平面図
【図４】前記ノートパソコンの不使用状態における側面図
【図５】前記ノートパソコンの底面図
【図６】実施形態に係るロック切換機構を拡大して示す斜視図
【図７】図６のＹ７−Ｙ７線に沿った断面図で、前記ロック切換機構の配設部分を説明するための図
【発明を実施するための形態】
【００１２】
本発明の情報処理装置は、上述の構成を基本として、以下のような態様をとることができる。すなわち、前記構成の情報処理装置において、ユーザが前記筐体の底部を片手で支えて当該情報処理装置を保持する際にユーザの手を甲側から拘束するハンドストラップが、前記蓋部材の一部と底面視で重なるように、前記筐体の底面に装着されていてもよい。
【００１３】
この場合には、ハンドストラップが、電池パック収納部の蓋部材の一部と底面視で重なるように装着されていて、情報処理装置を保持するユーザの手が（手の平や指先が）、不用意に前記スライド操作部に触れる蓋然性が特に高くなる場合について、前述の効果を奏することができ、特に有益である。
【００１４】
また、本発明の情報処理装置は、以上の構成を基本として、次のような態様をとることができる。すなわち、以上の構成の情報処理装置において、前記蓋部材は、前記電池パックの少なくとも底面として、当該電池パックと一体に設けられていてもよい。
【００１５】
この場合には、蓋部材が電池パックの少なくとも底面として当該電池パックと一体に設けられていて、ユーザの手が（手の平や指先が）スライド操作部を不用意にアンロック方向にスライドさせて蓋部材のロック状態が解除されてしまうと、電池パック自体が意図せずに外れて給電がいきなり途絶えるので、より大きな悪影響を及ぼすことになるが、このような場合について前述の効果を奏することができ、特に有益である。
【００１６】
（実施の形態）
以下、本発明の実施形態について、所謂ノートパソコンを例にとって、添付図面を参照しながら詳細に説明する。
尚、以下の説明では、特定の方向を意味する用語（例えば、「上」、「下」、「左」、「右」、およびそれらを含む他の用語、「時計回り方向」、「反時計回り方向」）を使用する場合があるが、それらの使用は図面を参照した発明の理解を容易にするためであって、それらの用語の意味によって本発明は限定的に解釈されるべきものではない。
【００１７】
図１及び図２は、本実施形態に係るノートパソコンの使用可能状態（開状態）および不使用状態（閉状態）をそれぞれ示す斜視図である。また、図３及び図４は、前記ノートパソコンの不使用状態における平面図および側面図である。
【００１８】
これらの図に示すように、本実施形態に係る情報処理装置としてのノートパソコンＷは、例えば液晶式とされた表示画面１２を有する表示部１０と、該表示部１０に入力される表示信号を生成し得る操作制御部３０とを備えている。該操作制御部３０は、キーボード等の入力装置３２、該入力装置３２による入力操作等に基づいて表示部へ出力する表示信号を生成する信号処理回路や中央演算処理装置（所謂ＣＰＵ）、更にはそれらの周辺部品（何れも不図示）などを含むものである。また、ユーザ（使用者）がノートパソコンＷを操作する状態において当該ユーザから見てキーボード３２の手前側には、タッチパッド３３が設けられており、ユーザはこのタッチパッド３３を上下左右になぞるだけで、カーソルの移動や表示画面１２のスクロール等を行うことができる。
【００１９】
前記表示部１０は、表示部側の筐体１１（第１筐体）に格納されてその周縁および背面が覆われており、一方、制御操作部３０は操作制御部側の筐体３１（第２筐体）に格納され、両筐体１０，３０は、ヒンジ機構２０により開閉可能に結合されている。
より詳しく説明すれば、第１筐体１１および第２筐体３１は共に、平面視（第１筐体１１及び第２筐体３１それぞれを正面から見た状態）における全体形状が略長方形状に形成されており、その一辺１１ｒ，３１ｒ側（つまり、ユーザがノートパソコンＷを操作する操作状態において当該ユーザから見た後側）どうしをヒンジ機構２０を介して結合することにより、ヒンジ軸２１（図４参照）を中心にして両筐体が相対的に開閉動作を行えるようになっている。尚、本明細書において、前記「長方形」とは、その一形態として「正方形」である場合を含むものである。
【００２０】
前記ノートパソコンＷは、充電式のバッテリ（電池）からの給電によって駆動することができるものである。
図５は前記ノートパソコンＷの底面図であるが、この図に示すように、本実施形態では、充電式の電池をユニット化した電池パック５０が、ノートパソコンＷの第２筐体３１の底部３１ｂに対し着脱可能に装着されている。電池パック５０は、その全体としての基本形状が略直方体状に形成され、この電池パック５０の外形形状に対応して、第２筐体３１には、少なくとも底部３１ｂの一部（具体的には、底部３１ｂ及び側部３１ｓの一部）を切り欠いて、少なくとも底側に開口した（具体的には、底側および後側に開口した）凹状の収納部４０が設けられている。電池パック５０は、この収納部４０に対し第２筐体３１の後側方から挿入して装着される。
【００２１】
この電池パック５０の装着状態においては、電池パック５０の底面５０ｂが第２筐体３１の底面３１ｂと略面一になり、電池パック５０の後側面５０ｓが第２筐体３１の後側面３１ｓと略面一になる。つまり、本実施形態では、好ましくは、収納部４０を開閉可能に覆う蓋部材（リッド）は、電池パック５０の底面５０ｂ及び後側面５０ｓとして、当該電池パック５０と一体に設けられている。尚、この代わりに、収納部４０を開閉可能に覆う蓋部材を電池パック５０とは別途に設けるようにしてもよい。
【００２２】
また、本実施形態では、図５において仮想線（２点鎖線）で示すように、ノートパソコンＷの携帯時における使い勝手を向上させるための補助的な付帯品として、当該ノートパソコンＷの筐体底部（具体的には、第２筐体３１の底部３１ｂ及び後側部３１ｓ）を保持するユーザの手Ｈｎを、手の甲側から拘束して保持性を高めるようにした、ベルト状の所謂ハンドストラップＳｈを、第２筐体３１の底面３１ｂに取り付けることができるようになっている。
【００２３】
第２筐体３１の底面３１ｂの左右側縁の近傍には、ハンドストラップＳｈの両端を固定するための一対の固定用パッド３１ｐが設けられており、ハンドストラップＳｈは、その左右両端が、例えばネジ部材３５を用いて、固定用パッド３１ｐ上にそれぞれ締結固定されることにより、第２筐体３１の底面３１ｂに装着されている。
本実施形態では、図５から良く分かるように、電池パック５０及びハンドストラップＳｈのレイアウトの都合上、ハンドストラップＳｈの装着状態では、当該ハンドストラップＳｈが電池パック５０の底面５０ｂの一部（つまり、収納部４０のリッドの一部）と底面視で重なっている。
【００２４】
電池パック５０の底面５０ｂには、後側部５０ｓの比較的近傍に、当該電池パック５０を装着状態にロックするロック機能とロック状態を解除するロック解除機能とを選択的に切り換えて用いられるスライド式のロック切換機構６０が左右一対に備えられている。各ロック切換機構６０は、ユーザがスライド操作を行うための操作部材として、所謂スライドノブ６２を備えている。
【００２５】
図６は、前記ロック切換機構６０を拡大して示す斜視図であり、また、図７は、図６のＹ７−Ｙ７線に沿った断面図で、前記ロック切換機構６０の配設部分を説明するための断面図である。
これらの図に詳しく示すように、本実施形態では、電池パック５０の底面５０ｂにおける後側部５０ｓの比較的近傍に、当該底面５０ｂから所定量隆起し前記ロック切換機構６０を収納する隆起部５１が形成されており、この構成で電池パック５０のロック切換機構６０を、手探り状態でもユーザは注意喚起することができ、不用意な電池パック５０のアンロックを抑制している。この隆起部５１の頂部５２に、該頂部５２から所定量段下げした平坦な段下げ面５３が設けられている。この段下げ面５３上に、ロック切換機構６０のスライドノブ６２が配設されている。
【００２６】
スライドノブ６２には、該ノブ６２のスライド操作に連係してスライド動作を行うスライダ６３が係合しており、該スライダ６３には、当該スライダ６３を第２筐体３１に設けられた係止穴３６に向かって付勢するスプリング６４が付設されている。このスプリング６４の付勢力によってスライダ６３が図７における右方へ移動し、その先端側が前記係止穴３６内に挿入されて係止されることにより、電池パック５０が装着状態にロックされる。また、前記スプリング６４の付勢力に抗してスライドノブ６２を図７における左方へスライド操作することにより、スライダ６３が同方向へ移動し、その先端側が前記係止穴３６から抜脱され、電池パック５０の装着状態がロック解除されるようになっている。尚、かかるロック切換機構６０の作動および概略構成は、従来公知のものと同様である。
【００２７】
本実施形態では、前記隆起部５１の段下げ面５３上に配設されたスライドノブ６２の操作面６２ｆは、隆起部５１の頂部５２よりも前記段下げ面５３に近い側に位置している、つまり、隆起部５１の頂部５２よりも或る程度（好ましくは、例えば１ｍｍ程度）凹んだ位置にあるように寸法設定されている。
【００２８】
以上、説明したように、本実施形態によれば、電池パック５０の装着状態をロック・アンロックするスライド式のロック切換機構６０のスライドノブ６２は、電池パック５０の底面５０ｂに形成された隆起部５１に配設されているので、第２筐体３１の主として底部３１ｂを片手で支えるようにして当該ノートパソコンＷを保持するユーザは、その手Ｈｎが隆起部５１に触れることで、スライドノブ６２があることについて注意が喚起され、誤操作をしてしまう可能性を低減できる。しかも、スライドノブ６２は、前記隆起部５１の段下げ面５３に、操作面６２ｆが隆起部５１の頂部５２よりも段下げ面５３に近い側に位置するように（つまり、隆起部５１の頂部５２から凹むように）配設されているので、ユーザの手Ｈｎ（手の平や指先）がスライドノブ６２の操作面６２ｆに強く触れるおそれはそれだけ少なくなり、より有効に誤操作の発生を抑制できるのである。また、ユーザが第２筐体３１の主として底部３１ｂを片手で支えるようにして当該ノートパソコンＷを保持するに際して、前記隆起部５１に手の平が当たるように保持することで、ノートパソコンＷの保持性が高められるという効果も有する。
【００２９】
また、本実施形態では、ハンドストラップＳｈが、電池パック５０の底面５０ｂの一部と底面視で重なるように装着されていて、当該ノートパソコンＷを保持するユーザの手Ｈｎが（手の平や指先が）、不用意に前記スライドノブ６２に触れる蓋然性が特に高くなるのであるが、かかる場合について、前述の効果を奏することができ、特に有益である。
【００３０】
更に、本実施形態では、電池パック収納部４０の蓋部材（リッド）が電池パック５０の底面５０ｂ及び後側面５０ｓとして当該電池パック５０と一体に設けられていて、ユーザの手Ｈｎが（手の平や指先が）スライドノブ６２を不用意にアンロック方向にスライドさせて電池パック５０の装着状態がロック解除されてしまうと、電池パック５０自体が意図せずに外れて給電がいきなり途絶えるので、より大きな悪影響を及ぼすことになるが、このような場合について前述の効果を奏することができ、特に有益である。
【００３１】
尚、以上の説明では、電池パック５０の収納部４０を開閉可能に覆う蓋部材（リッド）は、電池パック５０の底面５０ｂ及び後側面５０ｓとして、当該電池パック５０と一体に設けられていたが、この代わりに、収納部４０を開閉可能に覆う蓋部材を電池パック５０とは別途に設けるようにしてもよい。この場合には、蓋部材の底面に、ロック切換機構を収納する隆起部を形成すればよい。
【００３２】
また、以上の説明では、ロック切換機構６０を収納する隆起部５１は電池パック５０の底面５０ｂに設けられていたが、この代わりに、隆起部を第２筐体３１の底面３１ｂの適所に設けるようにしてもよい。
【００３３】
尚、以上の説明では、ハンドストラップＳｈを使用している時や、ノートパソコンＷの不使用状態でユーザが手で把持して持ち運ぶ時等に、電池パック５０のロック切換機構６０の存在をユーザに注意喚起するために隆起部５１を備えた構成であるが、隆起部５１は必須ではなく、例えば図５においてハンドストラップＳｈ使用時にユーザの手が係合するノートパソコンＷの中央部のみ隆起部５１を無くす構成、または、同図右側の脚ゴム、右側及び中央部の隆起部５１を全て無くした構成であっても、ノートパソコンＷの底部３１ｂからスライドノブの操作面６２ｆを段下げする構成であれば同様の効果を奏することができる。
【００３４】
更に、以上の説明は、ノートパソコンを例にとったものであったが、本発明はかかる場合に限定されるものではなく、電池パックを用いる他の種々の情報処理装置においても、有効に適用することができる。
【００３５】
このように、本発明は、上述の実施形態や変形例に限定されるものではなく、その要旨を逸脱しない範囲において、種々の変更や設計上の改良等を行い得るものであることは、言うまでもない。
【産業上の利用可能性】
【００３６】
本発明は、例えばノートパソコンなどの情報処理装置における電池パック収納部のリッド開閉用のスライド式切換手段の配置構造として、有効に利用することができる。
【符号の説明】
【００３７】
３１  第２筐体
３１ｂ  第２筐体の底部
３１ｓ  第２筐体の側部
４０  収納部
５０  電池パック
５０ｂ  電池パックの底面
５０ｓ  電池パックの後側面
５１  隆起部
５２  隆起部の頂部
５３  段下げ面
６０  ロック切換機構
６２  スライドノブ
６２ｆ  スライドノブの操作面
Ｈｎ  ユーザの手
Ｓｈ  ハンドストラップ
Ｗ  ノートパソコン
【図１】
2011070485.tif 000003
【図２】
2011070485.tif 000004
【図３】
2011070485.tif 000005
【図４】
2011070485.tif 000006
【図５】
2011070485.tif 000007
【図６】
2011070485.tif 000008
【図７】
2011070485.tif 000009